(57)【要約】【課題】【解決手段】本発明は、ダウンリンクサービスチャネルリソースを割り当てる方法及びシステムを開示する。前記方法は、アクティブアンテナシステム（ＡＡＳ）のビーム数と割り当てられた前のセルのサービスチャネルリソースに基づいて、対応する倍数の、割り当てられた後のセルのサービスチャネルリソースを生成するステップと、セルにおけるスケジューリングすべきユーザーキューを取得し、そして前記キュー内の各ユーザーの各ビームエリアでの受信電力を順次取得するステップと、取得された受信電力に基づいて、ユーザーにサービスチャネルリソースを割り当てるための、各ユーザーのアクティブビームエリアを確定するステップと、それぞれ各ユーザーのアクティブビームエリアに基づいてサービスチャネルリソースを割り当てることで、異なるユーザーが同じ時間−周波数リソースを占有する空間分割多重を実現するステップとを含む。本発明により、空間分割多重の確率を高めて、サービスチャネルの容量を向上させることができる。
2015527849.tif 000002
【特許請求の範囲】
【請求項１】
ダウンリンクサービスチャネルリソースを割り当てる方法であって、
アクティブアンテナシステム（ＡＡＳ）のビーム数と割り当てられた前のセルのサービスチャネルリソースに基づいて、対応する倍数の、割り当てられた後のセルのサービスチャネルリソースを生成するステップと、
セルにおけるスケジューリングすべきユーザーキューを取得し、そして前記キュー内の各ユーザーの各ビームエリアでの受信電力を順次取得するステップと、
取得された受信電力に基づいて、ユーザーにサービスチャネルリソースを割り当てるための、各ユーザーのアクティブビームエリアを確定するステップと、
それぞれ各ユーザーのアクティブビームエリアに基づいてサービスチャネルリソースを割り当てることで、異なるユーザーが同じ時間−周波数リソースを占有する空間分割多重を実現するステップとを含むことを特徴とする方法。
【請求項２】
前記それぞれ各ユーザーのアクティブビームエリアに基づいてサービスチャネルリソースを割り当てることは、
それぞれ各ユーザーのアクティブビームエリアの共通アイドルサービスチャネルリソースを確定し、それぞれ各ユーザーに確定された共通アイドルサービスチャネルリソースを割り当てることで、空間分割多重、即ち異なるユーザーが同じ時間−周波数リソースを占有することを実現することであることを特徴とする
請求項１に記載の方法。
【請求項３】
前記取得された受信電力に基づいて、各ユーザーのアクティブビームエリアを確定することは、
それぞれ各ユーザーの各ビームエリアでの受信電力を、予め設定された基準送信電力に従って換算して、受信電力の換算値を得て、
得られた受信電力の換算値に対して時間領域平滑化を行って、受信電力の平滑値を得て、
それぞれ各ユーザーの各ビームエリアでの受信電力の平滑値の最大値を選択し、
それぞれ各ユーザーの各ビームエリアでの受信電力の平滑値と前記最大値との比を計算し、
得られた各ユーザーの各比が予め設定されたアクティブ閾値より大きいかどうかを判定し、比がアクティブ閾値以上である場合、当該比に対応するビームエリアがユーザーのアクティブビームエリアであると判定することであることを特徴とする
請求項１又は２に記載の方法。
【請求項４】
前記取得された受信電力に基づいて、各ユーザーのアクティブビームエリアを確定することは、
それぞれ各ユーザーの各ビームエリアでの受信電力を、予め設定された基準送信電力に従って換算して、受信電力の換算値を得て、
得られた受信電力の換算値に対して時間領域平滑化を行って、受信電力の平滑値を得て、
それぞれ得られた各ユーザーの各ビームエリアでの受信電力の平滑値を昇順に配列して、キューの先頭に配列された平滑値が最小であり、
それぞれ各ユーザーの各ビームエリアでの受信電力の平滑値の和とキューの先頭に配列された平滑値との差を計算し、得られた差と各ユーザーの各ビームエリアでの受信電力の平滑値を除算して、アクティブ比を得て、
得られたアクティブ比が予め設定されたアクティブ閾値以上であるかどうかを判定し、アクティブ比がアクティブ閾値以上である場合、キューの先頭にある前記平滑値を削除し、取得されるアクティブ比がアクティブ閾値より小さくなるまでアクティブ比の取得ステップを繰り返して、現在のキューの先頭にある平滑値、及びキューにおける残りの平滑値に対応するビームエリアがアクティブビームエリアであると判定することであることを特徴とする
請求項１又は２に記載の方法。
【請求項５】
ダウンリンクサービスチャネルリソースを割り当てるシステムであって、
アクティブアンテナシステム（ＡＡＳ）のビーム数と割り当てられた前のセルのサービスチャネルリソースに基づいて、対応する倍数の、割り当てられた後のセルのサービスチャネルリソースを生成するように構成されるサービスチャネルリソース生成ユニットと、
セルにおけるスケジューリングすべきユーザーキューを取得し、そして前記キュー内の各ユーザーの各ビームエリアでの受信電力を順次取得するように構成される受信電力取得ユニットと、
取得された受信電力に基づいて、ユーザーにサービスチャネルリソースを割り当てるための、各ユーザーのアクティブビームエリアを確定するように構成されるアクティブビームエリア確定ユニットと、
それぞれ各ユーザーのアクティブビームエリアに基づいてサービスチャネルリソースを割り当てることで、異なるユーザーが同じ時間−周波数リソースを占有する空間分割多重を実現するように構成されるサービスチャネルリソース割り当てユニットとを含むシステム。
【請求項６】
前記サービスチャネルリソース割り当てユニットは、それぞれ各ユーザーのアクティブビームエリアの共通アイドルサービスチャネルリソースを確定し、それぞれ各ユーザーに確定された共通アイドルサービスチャネルリソースを割り当てることで、空間分割多重、即ち異なるユーザーが同じ時間−周波数リソースを占有することを実現するように構成されることを特徴とする
請求項５に記載のシステム。
【請求項７】
前記アクティブビームエリア確定ユニットは、
それぞれ各ユーザーの各ビームエリアでの受信電力を、予め設定された基準送信電力に従って換算して、受信電力の換算値を得るように構成される受信電力換算サブユニットと、
受信電力換算サブユニットにより得られた受信電力の換算値に対して時間領域平滑化を行って、受信電力の平滑値を得るように構成される時間領域平滑サブユニットと、
それぞれ各ユーザーの各ビームエリアでの受信電力の平滑値の最大値を選択するように構成される最大値選択サブユニットと、
それぞれ各ユーザーの各ビームエリアでの受信電力の平滑値と前記最大値との比を計算するように構成される比計算サブユニットと、
得られた各ユーザーの各比が予め設定されたアクティブ閾値より大きいかどうかを判定し、比がアクティブ閾値以上である場合、当該比に対応するビームエリアがユーザーのアクティブビームエリアであると判定するように構成されるアクティブビームエリア判定サブユニットと、を含むことを特徴とする
請求項５又は６に記載のシステム。
【請求項８】
前記アクティブビームエリア確定ユニットは、
それぞれ各ユーザーの各ビームエリアでの受信電力を、予め設定された基準送信電力に従って換算して、受信電力の換算値を得るように構成される受信電力換算サブユニットと、
受信電力換算サブユニットにより得られた受信電力の換算値に対して時間領域平滑化を行って、受信電力の平滑値を得るように構成される時間領域平滑化サブユニットと、
時間領域平滑化サブユニットにより得られた各ユーザーの各ビームエリアでの受信電力の平滑値をそれぞれ昇順に配列して、キューの先頭に配列された平滑値を最小にするように構成される平滑値配列サブユニットと、
それぞれ各ユーザーの各ビームエリアでの受信電力の平滑値の和とキューの先頭に配列された平滑値との差を計算し、得られた差と各ユーザーの各ビームエリアでの受信電力の平滑値を除算して、アクティブ比を得るように構成されるアクティブ比計算サブユニットと、
得られたアクティブ比が予め設定されたアクティブ閾値以上であるかどうかを判定し、アクティブ比がアクティブ閾値以上である場合、キューの先頭にある前記平滑値を削除し、取得されるアクティブ比がアクティブ閾値より小さくなるまでアクティブ比の取得ステップを繰り返して、現在のキューの先頭にある平滑値、及びキューにおける残りの平滑値に対応するビームエリアがアクティブビームエリアであると判定するように構成されるアクティブビームエリア判定サブユニットと、を含むことを特徴とする
請求項５又は６に記載のシステム。
【発明の詳細な説明】
【技術分野】
【０００１】
本発明は、サービスチャネルリソース割り当て技術に関し、特に長期発展型（Ｌｏｎｇ  Ｔｅｒｍ  Ｅｖｏｌｕｔｉｏｎ：ＬＴＥ）システムにおけるダウンリンクサービスチャネルリソースを割り当てる方法及びシステムに関する。
【背景技術】
【０００２】
現在、ＬＴＥシステムにおいて、サービスチャネルの容量を向上させるために、通常は複数のユーザーの空間チャネルの弱い関連の特性を利用して空間分割多重を行って、ダウンリンクサービスチャネルの容量を向上させる。しかし、複数のユーザーの空間チャネルの弱い関連特性を利用して空間分割多重を行う効果は、完全に基地局側のアンテナと空間チャネルとの関連程度に依存し、基地局側のアンテナが空間チャネルに強く関連する場合、空間分割多重の確率が低く、サービスチャネルの容量を効果的に高めることができない。
【０００３】
従来、ＲＲＵに集積されたアクティブアンテナシステム（Ａｃｔｉｖｅ  Ａｎｔｅｎｎａ  Ｓｙｓｔｅｍ：ＡＡＳ）は、１つだけのビームを形成することができ、前記ビームが１つのビームエリア（Ｂｅａｍ  Ａｒｅａ：ＢＡ）、即ちセルを覆い、同じセル内の異なるユーザーの関連性が高く、空間分割多重の確率が低い。現在、技術革新により、ＡＡＳは、複数のビームを形成することができ、図１に示すように、各ビームが１つのビームエリアを覆い、１つのセルを複数のビームエリアに分割する。このようにして、元の、１つのセルにある異なるユーザーがセル内の異なるビームエリアにある可能性がある。このようにして、同じセルにある場合と比べて、異なるビームエリアにあるユーザーの間の関連程度が弱くなり、極端な状況で、ＡＡＳにおいてこのような新しいリソース割り当てスキームによる容量向上倍数がビームエリアの個数と同じである。
【０００４】
現在、新しいＡＡＳに基づいてＬＴＥシステムにおけるダウンリンクサービスチャネルリソースを割り当てる方法及びシステムは、まだ存在しない。
【発明の概要】
【発明が解決しようとする課題】
【０００５】
上記事情を鑑みて、本発明の主な目的は、空間分割多重の確率を高めて、サービスチャネルの容量を向上させることができる、ＬＴＥシステムにおけるダウンリンクサービスチャネルリソースを割り当てる方法及びシステムを提供することである。
【課題を解決するための手段】
【０００６】
上記目的を達成するために、本発明の実施形態の技術的なスキームは、以下のように実現される。
【０００７】
本発明の実施形態に係るダウンリンクサービスチャネルリソースを割り当てる方法は、
アクティブアンテナシステム（ＡＡＳ）のビーム数と割り当てられた前のセルのサービスチャネルリソースに基づいて、対応する倍数の、割り当てられた後のセルのサービスチャネルリソースを生成するステップと、
セルにおけるスケジューリングすべきユーザーキューを取得し、そして前記キュー内の各ユーザーの各ビームエリアでの受信電力を順次取得するステップと、
取得された受信電力に基づいて、ユーザーにサービスチャネルリソースを割り当てるための、各ユーザーのアクティブビームエリアを確定するステップと、
それぞれ各ユーザーのアクティブビームエリアに基づいてサービスチャネルリソースを割り当てることで、異なるユーザーが同じ時間−周波数リソースを占有する空間分割多重を実現するステップとを含む。
【０００８】
好ましくは、サービスチャネルリソースを割り当てた後、前記方法は、
割り当てられたサービスチャネルリソースを占有にマーキングするステップをさらに含む。
【０００９】
好ましくは、それぞれ各ユーザーのアクティブビームエリアに基づいてサービスチャネルリソースを割り当てることは、
それぞれ各ユーザーのアクティブビームエリアの共通アイドルサービスチャネルリソースを確定し、それぞれ各ユーザーに確定された共通アイドルサービスチャネルリソースを割り当てることで、空間分割多重、即ち異なるユーザーが同じ時間−周波数リソースを占有することを実現することである。
【００１０】
好ましくは、取得された受信電力に基づいて、各ユーザーのアクティブビームエリアを確定することは、
それぞれ各ユーザーの各ビームエリアでの受信電力を、予め設定された基準送信電力に従って換算して、受信電力の換算値を得て、
得られた受信電力の換算値に対して時間領域平滑化を行って、受信電力の平滑値を得て、
それぞれ各ユーザーの各ビームエリアでの受信電力の平滑値の最大値を選択し、
それぞれ各ユーザーの各ビームエリアでの受信電力の平滑値と前記最大値との比を計算し、
それぞれ得られた各ユーザーの各比が予め設定されたアクティブ閾値より大きいかどうかを判定し、比がアクティブ閾値以上である場合、当該比に対応するビームエリアがユーザーのアクティブビームエリアであると判定することである。
【００１１】
好ましくは、取得された受信電力に基づいて、各ユーザーのアクティブビームエリアを確定することは、
それぞれ各ユーザーの各ビームエリアでの受信電力を、予め設定された基準送信電力に従って換算して、受信電力の換算値を得て、
得られた受信電力の換算値に対して時間領域平滑化を行って、受信電力の平滑値を得て、
それぞれ得られた各ユーザーの各ビームエリアでの受信電力の平滑値を昇順に配列して、キューの先頭に配列された平滑値が最小であり、
それぞれ各ユーザーの各ビームエリアでの受信電力の平滑値の和とキューの先頭に配列された平滑値との差を計算し、得られた差と各ユーザーの各ビームエリアでの受信電力の平滑値の和を除算して、アクティブ比を得て、
得られたアクティブ比が予め設定されたアクティブ閾値以上であるかどうかを判定し、アクティブ比がアクティブ閾値以上である場合、キューの先頭にある前記平滑値を削除し、取得されるアクティブ比がアクティブ閾値より小さくなるまでアクティブ比の取得ステップを繰り返して、現在のキューの先頭にある平滑値、及びキューにおける残りの平滑値に対応するビームエリアがアクティブビームエリアであると判定することである。
【００１２】
本発明の実施形態に係るダウンリンクサービスチャネルリソースを割り当てるシステムは、
アクティブアンテナシステム（ＡＡＳ）のビーム数と割り当てられた前のセルのサービスチャネルリソースに基づいて、対応する倍数の、割り当てられた後のセルのサービスチャネルリソースを生成するように構成されるサービスチャネルリソース生成ユニットと、
セルにおけるスケジューリングすべきユーザーキューを取得し、そして前記キュー内の各ユーザーの各ビームエリアでの受信電力を順次取得するように構成される受信電力取得ユニットと、
取得された受信電力に基づいて、ユーザーにサービスチャネルリソースを割り当てるための、各ユーザーのアクティブビームエリアを確定するように構成されるアクティブビームエリア確定ユニットと、
それぞれ各ユーザーのアクティブビームエリアに基づいてサービスチャネルリソースを割り当てることで、異なるユーザーが同じ時間−周波数リソースを占有する空間分割多重を実現するように構成されるサービスチャネルリソース割り当てユニットとを含む。
【００１３】
好ましくは、前記システムは、割り当てられたサービスチャネルリソースを占有にマーキングするように構成されるサービスチャネルリソースマーキングユニットをさらに含む。
【００１４】
前記サービスチャネルリソース割り当てユニットは、それぞれ各ユーザーのアクティブビームエリアの共通アイドルサービスチャネルリソースを確定し、それぞれ各ユーザーに確定された共通アイドルサービスチャネルリソースを割り当てることで、空間分割多重、即ち異なるユーザーが同じ時間−周波数リソースを占有することを実現するように構成される。
【００１５】
好ましくは、前記アクティブビームエリア確定ユニットは、
それぞれ各ユーザーの各ビームエリアでの受信電力を、予め設定された基準送信電力に従って換算して、受信電力の換算値を得るように構成される受信電力換算サブユニットと、
受信電力換算サブユニットにより得られた受信電力の換算値に対して時間領域平滑化を行って、受信電力の平滑値を得るように構成される時間領域平滑サブユニットと、
それぞれ各ユーザーの各ビームエリアでの受信電力の平滑値の最大値を選択するように構成される最大値選択サブユニットと、
それぞれ各ユーザーの各ビームエリアでの受信電力の平滑値と前記最大値との比を計算するように構成される比計算サブユニットと、
それぞれ得られた各ユーザーの各比が予め設定されたアクティブ閾値より大きいかどうかを判定し、比がアクティブ閾値以上である場合、当該比に対応するビームエリアがユーザーのアクティブビームエリアであると判定するように構成されるアクティブビームエリア判定サブユニットと、を含む。
【００１６】
好ましくは、前記アクティブビームエリア確定ユニットは、
それぞれ各ユーザーの各ビームエリアでの受信電力を、予め設定された基準送信電力に従って換算して、受信電力の換算値を得るように構成される受信電力換算サブユニットと、
受信電力換算サブユニットにより得られた受信電力の換算値に対して時間領域平滑化を行って、受信電力の平滑値を得るように構成される時間領域平滑化サブユニットと、
時間領域平滑化サブユニットにより得られた各ユーザーの各ビームエリアでの受信電力の平滑値をそれぞれ昇順に配列して、キューの先頭に配列された平滑値を最小にするように構成される平滑値配列サブユニットと、
それぞれ各ユーザーの各ビームエリアでの受信電力の平滑値の和とキューの先頭に配列された平滑値との差を計算し、得られた差と各ユーザーの各ビームエリアでの受信電力の平滑値の和を除算して、アクティブ比を得るように構成されるアクティブ比計算サブユニットと、
得られたアクティブ比が予め設定されたアクティブ閾値以上であるかどうかを判定し、アクティブ比がアクティブ閾値以上である場合、キューの先頭にある前記平滑値を削除し、取得されるアクティブ比がアクティブ閾値より小さくなるまでアクティブ比の取得ステップを繰り返して、現在のキューの先頭にある平滑値、及びキューにおける残りの平滑値に対応するビームエリアがアクティブビームエリアであると判定するように構成されるアクティブビームエリア判定サブユニットと、を含む。
【００１７】
上記から明らかなように、本発明の実施形態において、ＡＡＳのビーム数と割り当てられた前のセルのサービスチャネルリソースに基づいて、対応する倍数の、割り当てられた後のセルのサービスチャネルリソースを生成し、セルにおけるスケジューリングすべきユーザーキューを取得し、そして前記キュー内の各ユーザーの各ビームエリアでの受信電力を順次取得し、取得された受信電力に基づいて、ユーザーにサービスチャネルリソースを割り当てるための、各ユーザーのアクティブビームエリアを確定し、それぞれ各ユーザーのアクティブビームエリアに基づいてサービスチャネルリソースを割り当てることで、空間分割多重を実現するという技術的なスキームが採用される。これにより、本発明の実施形態に係る新しいＡＡＳに基づいて提供されるＬＴＥシステムにおけるダウンリンクサービスチャネルリソースを割り当てるスキームにおいて、複数のユーザーの空間チャネルの弱い関連特性を利用することに加えて、異なるビームエリア間の弱い関連特性を利用して空間分割多重を行い、具体的に、アクティブビームが異なるユーザーが同じリソースブロックを占有することにより空間分割多重を実現することで、空間分割多重の確率を高めて、サービスチャネルの容量を向上させることができ、極端な状況で容量向上倍数がビームエリアの個数に等しくなる。
【図面の簡単な説明】
【００１８】
【図１】ＡＡＳが複数のビームを形成する図である。
【図２】本発明に係るダウンリンクサービスチャネルリソースを割り当てる方法の第一の実施形態のフローチャートである。
【図３】本発明に係るダウンリンクサービスチャネルリソースを割り当てるシステムの実施形態の構成図である。
【図４】本発明に係るアクティブビームエリア確定ユニットの第一の実施形態の構成図である。
【図５】本発明に係るアクティブビームエリア確定ユニットの第二の実施形態の構成図である。
【図６】本発明に係るダウンリンクサービスチャネルリソースを割り当てる方法の第二の実施形態のフローチャートである。
【発明を実施するための形態】
【００１９】
本発明の基本的な考え方は、ＡＡＳのビーム数と割り当てられた前のセルのサービスチャネルリソースに基づいて、対応する倍数の、割り当てられた後のセルのサービスチャネルリソースを生成し、セルにおけるスケジューリングすべきユーザーキューを取得し、そして前記キュー内の各ユーザーの各ビームエリアでの受信電力を順次取得し、取得された受信電力に基づいて、ユーザーにサービスチャネルリソースを割り当てるための、各ユーザーのアクティブビームエリアを確定し、それぞれ各ユーザーのアクティブビームエリアに基づいてサービスチャネルリソースを割り当てることである。
【００２０】
本発明に係るダウンリンクサービスチャネルリソースを割り当てる方法の第一の実施形態は図２に示される。前記方法は、
ＡＡＳのビーム数と割り当てられた前のセルのサービスチャネルリソースに基づいて、対応する倍数の、割り当てられた後のセルのサービスチャネルリソースを生成するステップ２０１と、
セルにおけるスケジューリングすべきユーザーキューを取得し、そして前記キュー内の各ユーザーの各ビームエリアでの受信電力を順次取得するステップ２０２と、
取得された受信電力に基づいて、ユーザーにサービスチャネルリソースを割り当てるための、各ユーザーのアクティブビームエリアを確定するステップ２０３と、
それぞれ各ユーザーのアクティブビームエリアに基づいてサービスチャネルリソースを割り当てることで、異なるユーザーが同じ時間−周波数リソースを占有する空間分割多重を実現するステップ２０４と、を含む。
【００２１】
好ましくは、ステップ２０４におけるサービスチャネルリソースを割り当てた後、前記方法は、
割り当てられたサービスチャネルリソースを占有にマーキングするステップをさらに含むことができる。
【００２２】
好ましくは、前記ステップ２０４におけるそれぞれ各ユーザーのアクティブビームエリアに基づいてサービスチャネルリソースを割り当てることは、
それぞれ各ユーザーのアクティブビームエリアの共通アイドルサービスチャネルリソースを確定し、それぞれ各ユーザーに確定された共通アイドルサービスチャネルリソースを割り当てることで、空間分割多重、即ち異なるユーザーが同じ時間−周波数リソースを占有することを実現することであってよい。
【００２３】
好ましくは、前記ステップ２０３における取得された受信電力に基づいて、各ユーザーのアクティブビームエリアを確定することは、
それぞれ各ユーザーの各ビームエリアでの受信電力を、予め設定された基準送信電力に従って換算して、受信電力の換算値を得て、
得られた受信電力の換算値に対して時間領域平滑化を行って、受信電力の平滑値を得て、
それぞれ各ユーザーの各ビームエリアでの受信電力の平滑値の最大値を選択し、
それぞれ各ユーザーの各ビームエリアでの受信電力の平滑値と前記最大値との比を計算し、
それぞれ得られた各ユーザーの各比が予め設定されたアクティブ閾値より大きいかどうかを判定し、比がアクティブ閾値以上である場合、当該比に対応するビームエリアがユーザーのアクティブビームエリアと判定することであってよい。
【００２４】
好ましくは、前記ステップ２０３における取得された受信電力に基づいて、各ユーザーのアクティブビームエリアを確定することは、
それぞれ各ユーザーの各ビームエリアでの受信電力を、予め設定された基準送信電力に従って換算して、受信電力の換算値を得て、
得られた受信電力の換算値に対して時間領域平滑化を行って、受信電力の平滑値を得て、
それぞれ得られた各ユーザーの各ビームエリアでの受信電力の平滑値を昇順に配列して、キューの先頭に配列された平滑値が最小であり、
それぞれ各ユーザーの各ビームエリアでの受信電力の平滑値の和とキューの先頭に配列された平滑値との差を計算し、得られた差を各ユーザーの各ビームエリアでの受信電力の平滑値の和を除算して、アクティブ比を得て、
得られたアクティブ比が予め設定されたアクティブ閾値以上であるかどうかを判定し、アクティブ比がアクティブ閾値以上である場合、キューの先頭にある前記平滑値を削除し、取得されるアクティブ比がアクティブ閾値より小さくなるまでアクティブ比の取得ステップを繰り返して、現在のキューの先頭にある平滑値、及びキューにおける残りの平滑値に対応するビームエリアがアクティブビームエリアであると判定することであってよい。
【００２５】
本発明の実施形態に係るダウンリンクサービスチャネルリソースを割り当てるシステムは、屋内型ベースバンド処理ユニット（Ｂｕｉｌｄｉｎｇ  Ｂａｓｅｂａｎｄ  Ｕｎｉｔ：ＢＢＵ）のリソーススケジューリングモジュールに内蔵されることができ、図３に示すように、前記システムは、
ＡＡＳのビーム数と割り当てられた前のセルのサービスチャネルリソースに基づいて、対応する倍数の、割り当てられた後のセルのサービスチャネルリソースを生成するように構成されるサービスチャネルリソース生成ユニット３０１と、
セルにおけるスケジューリングすべきユーザーキューを取得し、そして前記キュー内の各ユーザーの各ビームエリアでの受信電力を順次取得するように構成される受信電力取得ユニット３０２と、
取得された受信電力に基づいて、ユーザーにサービスチャネルリソースを割り当てるための各ユーザーのアクティブビームエリアを確定するように構成されるアクティブビームエリア確定ユニット３０３と、
それぞれ各ユーザーのアクティブビームエリアに基づいてサービスチャネルリソースを割り当てることで空間分割多重を実現して、サービスチャネルの容量を向上させるように構成されるサービスチャネルリソース割り当てユニット３０４とを含む。
【００２６】
前記サービスチャネルリソース生成ユニット３０１、受信電力取得ユニット３０２、アクティブビームエリア確定ユニット３０３とサービスチャネルリソース割り当てユニット３０４は、ＡＡＳにおける中央処理装置（Ｃｅｎｔｒａｌ  Ｐｒｏｃｅｓｓｉｎｇ  Ｕｎｉｔ：ＣＰＵ）、デジタル信号プロセッサ（Ｄｉｇｉｔａｌ  Ｓｉｇｎａｌ  Ｐｒｏｃｅｓｓｏｒ：ＤＳＰ）又はフィールド−プログラマブルゲートアレイ（Ｆｉｅｌｄ−Ｐｒｏｇｒａｍｍａｂｌｅ  Ｇａｔｅ  Ａｒｒａｙ：ＦＰＧＡ）によって実現されることができる。
【００２７】
好ましくは、前記システムは、割り当てられたサービスチャネルリソースを占有にマーキングするように構成されるサービスチャネルリソースマーキングユニット３０５をさらに含むことができる。
【００２８】
好ましくは、前記サービスチャネルリソース割り当てユニット３０４は、具体的に、それぞれ各ユーザーのアクティブビームエリアの共通アイドルサービスチャネルリソースを確定し、それぞれ各ユーザーに確定された共通アイドルサービスチャネルリソースを割り当てることで、空間分割多重、即ち異なるユーザーが同じ時間−周波数リソースを占有することを実現するように構成されることができる。
【００２９】
好ましくは、図４に示すように、前記アクティブビームエリア確定ユニット３０３は、
それぞれ各ユーザーの各ビームエリアでの受信電力を、予め設定された基準送信電力に従って換算して、受信電力の換算値を得るように構成される受信電力換算サブユニット３０３１と、
受信電力換算サブユニットにより得られた受信電力の換算値に対して時間領域平滑化を行って、受信電力の平滑値を得るように構成される時間領域平滑サブユニット３０３２と、
それぞれ各ユーザーの各ビームエリアでの受信電力の平滑値の最大値を選択するように構成される最大値選択サブユニット３０３３と、
それぞれ各ユーザーの各ビームエリアでの受信電力の平滑値と前記最大値との比を計算するように構成される比計算サブユニット３０３４と、
得られた各ユーザーの各比が予め設定されたアクティブ閾値より大きいかどうかを判定し、比がアクティブ閾値以上である場合、当該比に対応するビームエリアがユーザーのアクティブビームエリアであると判定するように構成されるアクティブビームエリア判定サブユニット３０３５と、を含むことができる。
【００３０】
前記受信電力換算サブユニット３０３１、時間領域平滑サブユニット３０３２、最大値選択サブユニット３０３３、比計算サブユニット３０３４とアクティブビームエリア判定サブユニット３０３５は、ＡＡＳにおける中央処理装置（Ｃｅｎｔｒａｌ  Ｐｒｏｃｅｓｓｉｎｇ  Ｕｎｉｔ：ＣＰＵ）、デジタル信号プロセッサ（Ｄｉｇｉｔａｌ  Ｓｉｇｎａｌ  Ｐｒｏｃｅｓｓｏｒ：ＤＳＰ）又はフィールド−プログラマブルゲートアレイ（Ｆｉｅｌｄ−Ｐｒｏｇｒａｍｍａｂｌｅ  Ｇａｔｅ  Ａｒｒａｙ：ＦＰＧＡ）によって実現されることができる。
【００３１】
好ましくは、図５に示すように、前記アクティブビームエリア確定ユニット３０３は、
それぞれ各ユーザーの各ビームエリアでの受信電力を、予め設定された基準送信電力に従って換算して、受信電力の換算値を得るように構成される受信電力換算サブユニット３０３１と、
受信電力換算サブユニットにより得られた受信電力の換算値に対して時間領域平滑化を行って、受信電力の平滑値を得るように構成される時間領域平滑化サブユニット３０３２と、
時間領域平滑化サブユニットにより得られた各ユーザーの各ビームエリアでの受信電力の平滑値をそれぞれ昇順に配列して、キューの先頭に配列された平滑値を最小にするように構成される平滑値配列サブユニット３０３６と、
それぞれ各ユーザーの各ビームエリアでの受信電力の平滑値の和とキューの先頭に配列された平滑値との差を計算し、得られた差と各ユーザーの各ビームエリアでの受信電力の平滑値の和を除算して、アクティブ比を得るように構成されるアクティブ比計算サブユニット３０３７と、
得られたアクティブ比が予め設定されたアクティブ閾値以上であるかどうかを判定し、アクティブ比がアクティブ閾値以上である場合、キューの先頭にある前記平滑値を削除し、取得されるアクティブ比がアクティブ閾値より小さくなるまでアクティブ比の取得ステップを繰り返して、現在のキューの先頭にある平滑値、及びキューにおける残りの平滑値に対応するビームエリアがアクティブビームエリアであると判定するように構成されるアクティブビームエリア判定サブユニット３０３５と、を含むことができる。
【００３２】
前記受信電力換算サブユニット３０３１、時間領域平滑サブユニット３０３２、平滑値配列サブユニット３０３６、アクティブ比計算サブユニット３０３７とアクティブビームエリア判定サブユニット３０３５は、ＡＡＳにおける中央処理装置（Ｃｅｎｔｒａｌ  Ｐｒｏｃｅｓｓｉｎｇ  Ｕｎｉｔ：ＣＰＵ）、デジタル信号プロセッサ（Ｄｉｇｉｔａｌ  Ｓｉｇｎａｌ  Ｐｒｏｃｅｓｓｏｒ：ＤＳＰ）又はフィールド−プログラマブルゲートアレイ（Ｆｉｅｌｄ−Ｐｒｏｇｒａｍｍａｂｌｅ  Ｇａｔｅ  Ａｒｒａｙ：ＦＰＧＡ）によって実現されることができる。
【００３３】
以下に本発明に係るダウンリンクサービスチャネルリソースを割り当てる方法の第二の実施形態を説明する。図６に示すように、前記方法は、以下のステップを含む。
【００３４】
ステップ６０１、ＡＡＳのビーム数と割り当てられた前のセルのサービスチャネルリソースに基づいて、対応する倍数の、割り当てられた後のセルのサービスチャネルリソースを生成する。
【００３５】
例えば、ＡＡＳのビームがＮ個であり、即ち１つのセルがＮ個のビームエリアに分割され、前のセルに分割されたサービスチャネルリソースがＭ個のリソースブロック（Ｒｅｓｏｕｒｃｅ  Ｂｌｏｃｋ：ＲＢ）であり、前記ＲＢがサービスチャネル伝送を搬送することに用いられると、生成された対応する倍数の、後のセルに分割されたサービスチャネルリソースがＮ*Ｍ個のＲＢである。前記Ｎ*Ｍ個のＲＢからなるサービスチャネルリソースビットマップの形態は、以下の通りである。
【００３６】
2015527849.tif 000003
前記サービスチャネルリソースビットマップにおけるＲ１，１、…、ＲＮ，ＭがＲＢである。
【００３７】
ステップ６０２、セルにおけるスケジューリングすべきユーザーキューを取得し、そして前記キューにおける各ユーザーの各ビームエリアでの受信電力を順次取得する。
【００３８】
実際には、後に呼び出すように、取得された前記キューにおける各ユーザーの各ビームエリアでの受信電力を一緒に集合して
2015527849.tif 000004
にすることができ、その中、Ｎが１つのセルの分割されたビームエリアの数であり、Ｐ１がユーザーのビームエリア１での受信電力であり、同様に、ＰＮがユーザーのビームエリアＮでの受信電力である。
【００３９】
ステップ６０３、取得された前記キューにおける各ユーザーの各ビームエリアでの受信電力に基づいて、各ユーザーのアクティブビームエリアを確定する。
【００４０】
前記アクティブビームエリアは、ユーザーにサービスチャネルリソースを割り当てるためのビームエリアである。
【００４１】
ステップ６０４、それぞれ各ユーザーのアクティブビームエリアに基づいてサービスチャネルリソースを割り当てる。
【００４２】
具体的には、ユーザーのアクティブビームエリアが複数である場合、複数のアクティブビームエリアの共通アイドルサービスチャネルリソースに基づいて、サービスチャネルリソースを割り当てる。
【００４３】
前記共通アイドルサービスチャネルリソースは、複数のアクティブビームエリアがいずれもアイドルであるサービスチャネルリソースである。前記サービスチャネルリソースは、状態フラグビットを含み、前記状態フラグビットがサービスチャネルリソースの状態をアイドル又は占有にマーキングするためのものであり、例えば、状態フラグビットは「０」であることが、前記サービスチャネルリソースがアイドルであることを示し、状態フラグビットは「１」であることが、前記サービスチャネルリソースが占有されることを示し、サービスチャネルリソースが解放される場合、状態フラグビットを「０」にマーキングし、サービスチャネルリソースが占有される場合、状態フラグビットを「１」にマーキングする。
【００４４】
図１に示すように、例えば、あるユーザーのアクティブビームエリアがビームエリア１とビームエリア２である場合、ビームエリア１とビームエリア２のサービスチャネルリソースビットマップを取得し、サービスチャネルリソースビットマップにおける各サービスチャネルリソースの状態フラグビットに基づいて、ビームエリア１とビームエリア２がいずれもアイドルであるサービスチャネルリソースを確定し、そして確定されたビームエリア１とビームエリア２がいずれもアイドルであるサービスチャネルリソースに基づいて、サービスチャネルリソースを割り当てる。
【００４５】
ステップ６０５、割り当てられたサービスチャネルリソースを占有にマーキングする。
【００４６】
例えば、前記サービスチャネルリソースの状態フラグビットを「１」にマーキングする。
【００４７】
前記ステップ６０３における取得された前記キューにおける各ユーザーの各ビームエリアでの受信電力に基づいて、各ユーザーのアクティブビームエリアを確定することは、以下のステップを含むことができる。
【００４８】
ステップ６０３１Ａ、それぞれ各ユーザーの各ビームエリアでの受信電力を、予め設定された基準送信電力に従って換算して、受信電力の換算値Ｐｔａｒｇｅｔを得る。
【００４９】
具体的には、式(１)に基づいて受信電力を換算して、受信電力の換算値Ｐｔａｒｇｅｔを得る。
【００５０】
【数１】
2015527849.tif 000005
式(１)におけるＰrealがユーザーの受信電力を表し、ＰＳＤrealが測定時点におけるユーザーの送信電力を表し、ＰＳＤtargetが予め設定された基準送信電力を表す。
【００５１】
ＬＴＥシステムにおいてユーザーの異なる時点における送信電力は、リソース割り当てモードに伴って異なり、後に異なる時点間の平滑処理をより良く行うために、換算する。
【００５２】
ステップ６０３２Ａ、得られた受信電力の換算値Ｐｔａｒｇｅｔに対して時間領域平滑化を行って、受信電力の平滑値
2015527849.tif 000006
を得る。
【００５３】
具体的には、式(２)に基づいて換算後の受信電力Ｐｔａｒｇｅｔに対して時間領域平滑化を行って、受信電力の平滑値
2015527849.tif 000007
を得る。
【００５４】
【数２】
2015527849.tif 000008
式(２)における
2015527849.tif 000009
が、前回に時間領域平滑化を行って得られた平滑値であり、αが平滑係数を表し、前記αの値の範囲が（０，１）である。
【００５５】
ステップ６０３３Ａ、それぞれ各ユーザーの各ビームエリアでの受信電力の平滑値の最大値
2015527849.tif 000010
を選択する。
【００５６】
ステップ６０３４Ａ、それぞれ各ユーザーの各ビームエリアでの受信電力の平滑値と前記最大値との比
2015527849.tif 000011
を計算する。
【００５７】
具体的には、その後、式(３)に基づいてそれぞれ各ユーザーの各ビームエリアでの受信電力の平滑値と前記最大値
2015527849.tif 000012
との比
2015527849.tif 000013
を計算する。
【００５８】
【数３】
2015527849.tif 000014
ステップ６０３５Ａ、得られた各比が予め設定されたアクティブ閾値ＴＨｒ４ＢＡ１より大きいかどうかを判定し、比がアクティブ閾値ＴＨｒ４ＢＡ１以上である場合、当該比に対応するビームエリアがアクティブビームエリアであり、比がアクティブ閾値ＴＨｒ４ＢＡ１より小さい場合、当該比に対応するビームエリアが非アクティブビームエリアであると判定する。
【００５９】
ここで、アクティブ閾値Ｔｈｒ４ＢＡ１の値の範囲が０より大きく、１より小さく、実際にはリンクシミュレーション結果に基づいて具体的に値を取ることができ、好ましくは、アクティブ閾値Ｔｈｒ４ＢＡ１が０．５より小さい。
【００６０】
このようにして、アクティブビームエリア内のユーザーの受信電力が大きいことを保証し、受信電力が小さいユーザーの前記ビームエリアをアクティブビームエリアとして確定することを避けることができる。
【００６１】
その他、前記ステップ６０３における取得された各ユーザーの受信電力に基づいて各ユーザーのアクティブビームエリアを確定することは、以下のステップを含むことができる。
【００６２】
ステップ６０３１Ｂ、それぞれ各ユーザーの各ビームエリアでの受信電力を、予め設定された基準送信電力に従って換算して、受信電力の換算値Ｐｔａｒｇｅｔを得る。
【００６３】
具体的には、式(１)に基づいて受信電力を換算して、受信電力の換算値Ｐｔａｒｇｅｔを得る。
【００６４】
ステップ６０３２Ｂ、得られた受信電力の換算値に対して時間領域平滑化を行って、受信電力の平滑値
2015527849.tif 000015
を得る。
【００６５】
具体的には、式(２)に基づいて換算後の受信電力Ｐｔａｒｇｅｔに対して時間領域平滑化を行って、受信電力の平滑値
2015527849.tif 000016
を得る。
【００６６】
ステップ６０３３Ｂ、それぞれ得られた各ユーザーの各ビームエリアでの受信電力の平滑値を昇順に配列して、キューの先頭に配列された平滑値を最小にする。
【００６７】
ステップ６０３４Ｂ、式(４)に基づいてそれぞれ各ユーザーの各ビームエリアでの受信電力の平滑値の和
2015527849.tif 000017
とキューの先頭に配列された平滑値
2015527849.tif 000018
との差を計算し、得られた差と各ユーザーの各ビームエリアでの受信電力の平滑値との和
2015527849.tif 000019
を除算して、アクティブ比
2015527849.tif 000020
を得る。
【００６８】
【数４】
2015527849.tif 000021
ステップ６０３５Ｂ、得られたアクティブ比が予め設定されたアクティブ閾値Ｔｈｒ４ＢＡ１以上であるかを判定し、アクティブ比がアクティブ比閾値Ｔｈｒ４ＢＡ１以上である場合、ステップ６０３６Ｂに入り、比がアクティブ閾値Ｔｈｒ４ＢＡ１より小さい場合、ステップ６０３７Ｂに入る。
【００６９】
ここで、アクティブ閾値Ｔｈｒ４ＢＡ１の値の範囲が０より大きく、１より小さく、実際にはリンクシミュレーション結果に基づいて具体的に値を取ることができ、好ましくは、アクティブ閾値Ｔｈｒ４ＢＡ１が０．５より大きい。
【００７０】
ステップ６０３６Ｂ、当該比に対応するビームエリアが非アクティブビームエリアであると判定し、キューの先頭にある平滑値を削除して、ステップ６０３４Ｂに戻る。
【００７１】
ステップ６０３７Ｂ、現在のキューの先頭にある平滑値、及びキューにおける残りの平滑値に対応するビームエリアがアクティブビームエリアであると判定する。
【００７２】
このようにして、アクティブビームエリア内のユーザーの受信電力が大きいことを保証し、受信電力が小さいユーザーの前記ビームエリアをアクティブビームエリアとして確定することを避けることができる。
【００７３】
これにより、ユーザーのアクティブビームエリアが総ビームエリアより小さい場合、非アクティブビームエリアのアイドルのサービスチャネルリソースを前記非アクティブビームエリアに帰属する他のユーザーにスケジューリングして使用して、空間分割多重を行って、さらにサービスチャネルの容量を向上させることができる。
【００７４】
以上のことから、本発明の実施形態に係る新しいＡＡＳに基づいて提供されるＬＴＥシステムにおけるダウンリンクサービスチャネルリソースを割り当てる方法により、空間分割多重の確率を高めて、サービスチャネルの容量を向上させることができる。
【００７５】
上記は、本発明の最適的な実施例に過ぎず、本発明の保護範囲を制限することに用いられるものではない。
【図１】
2015527849.tif 000022
【図２】
2015527849.tif 000023
【図３】
2015527849.tif 000024
【図４】
2015527849.tif 000025
【図５】
2015527849.tif 000026
【図６】
2015527849.tif 000027
【国際調査報告】
2015527849.tif 000028
2015527849.tif 000029
2015527849.tif 000030
2015527849.tif 000031